(57)【特許請求の範囲】
【請求項１】
直管状をなし、表面に多数のＬＥＤを実装した基板が収容されているとともに、該基板を保持する放熱兼用の基板保持金具を有する照明器本体部と、該照明器本体部の端部に固定され、前記基板のＬＥＤに対して給電する給電用端子又は基板のアース側パターンに接続させるアース用端子を、前記照明器本体部の軸方向に向けて貫通して保持させた合成樹脂製の口金とを備えてなる直管型ＬＥＤ照明器において、
前記口金は、前記照明器本体部の端部に嵌合される筒状部と、該筒状部の先端部を閉鎖する端板部と一体に有する口金本体部を備え、
前記端板部には、表裏に貫通する端子保持用の窓孔が形成され、
該端子保持用の窓孔内に、前記給電端子又はアース用端子を保持する端子保持駒が挿抜不能に嵌着され、
該端子保持駒は、２分割した一対の分割駒をもって構成され、該分割駒の接合面に端子嵌合溝が形成され、該端子嵌合溝に、これと整合する形状の給電端子又はアース用端子を嵌合させ、両分割駒を互いに接合させて前記端板部の端子保持用の窓孔内に嵌合させたことを特徴としてなる直管型ＬＥＤ照明器
【請求項２】
前記端子保持駒は、前記口金本体部より耐熱性の高い材料によって形成されている請求項１に記載の直管型ＬＥＤ照明器。
【発明の詳細な説明】
【技術分野】
【０００１】
本発明は、ＬＥＤを直管型の本体部内に収容して発光させるようにした直管型ＬＥＤ照明器に関し、更に具体的には、直管型の本体部両端に固定した端子を保持する合成樹脂製の口金を改良した直管型ＬＥＤ照明器に関する。
【背景技術】
【０００２】
近年、直管型の蛍光灯に代わる直管型ＬＥＤ照明器が多数開発されている。
【０００３】
従来の直管型ＬＥＤ照明器は、図１４に示すように、周壁に内外に光が投下できる透光部１を有する筒状の外部ケース２と、外部ケース２内に収容された放熱兼用の基板保持金具３と、基板保持金具３に支持され、表面に多数のＬＥＤ４を実装した基板５とを有する照明器本体部Ａを備え、その両端に合成樹脂製の口金６，７が固定されているもの（例えば特許文献１）や、図１５に示すように半円筒状の透光板からなる透光部１と、半円筒状の基板保持金具３とで直管状の外部ケース２を構成させ、基板保持金具に３に、表面に多数のＬＥＤ４を実装した基板５を保持させたもの等、各種の構造のものが開発されている。
【０００４】
これらの直管型ＬＥＤ照明器の口金６，７は、図１６〜図１８に示すように、照明器本体部Ａの端部に嵌合される筒状部８と、該筒状部８の先端部を閉鎖する端板部９とから構成され、この端板部に端子が貫通して保持されているものであり、一方の口金６には、基板５の給電側パターンに接続させる給電用端子１０が、他方の口金７には、基板５のアース側パターンに接続させるアース用端子１１が、それぞれ照明器本体部Ａの軸方向に向けて貫通して保持されている。
【０００５】
この種の口金６，７は、インサート成形によって各端子１０，１１を一体に保持させるようにしており、各端子１０，１１と基板５のパターンとは、導電線１２の両端を、端子とパターンに半田付けしている。
【先行技術文献】
【特許文献】
【０００６】
【特許文献１】特開２００９−２６６４３２号公報
【発明の概要】
【発明が解決しようとする課題】
【０００７】
上述のような従来の直管型ＬＥＤ照明器では、照明器全体が両端の口金によって支持されるものであり、照明器の着脱には、照明器本体部を持って操作するものであるため、照明器本体と両ホルダーとの結合強度が大きいことが望まれる。そのためには、両者の嵌合代を大きく取ることが構造上及び製造上好ましい。
【０００８】
しかし、口金は、各端子がインサート成形されるものであるため、端子に予め導電線を接続させておくことができず、口金のモールド成形後に導電線の半田付け作業を行わなければならない。
【０００９】
このため、口金の筒状部を長くすると、端子に対する導電線２の半田付け作業が困難となるため、その長さに限界があり、照明器本体と対し口金の結合強度を高めるためには、別の補強手段を施す必要があった。
【００１０】
また、ＬＥＤは、発光時の発熱量が多いため、特に口金は、耐熱性及び難燃性の高い樹脂材料を使用する必要があり、高価となるという問題もあった。
【００１１】
本発明はこのような従来の問題に鑑み、製造コストが削減できるとともに、口金と照明器本体部との結合力が大きく、しかも組み立て作業が省力化できる直管型ＬＥＤ照明器の提供を目的としてなされたものである。
【課題を解決するための手段】
【００１２】
上述の如き従来の問題を解決し、所期の目的を達成するための請求項1に記載の発明は、 直管状をなし、表面に多数のＬＥＤを実装した基板が収容されているとともに、該基板を保持する放熱兼用の基板保持金具を有する照明器本体部と、該照明器本体部の端部に固定され、前記基板のＬＥＤに対して給電する給電用端子又は基板のアース側パターンに接続させるアース用端子を、前記照明器本体部の軸方向に向けて貫通して保持させた合成樹脂製の口金とを備えてなる直管型ＬＥＤ照明器において、 前記口金は、前記照明器本体部の端部に嵌合される筒状部と、該筒状部の先端部を閉鎖する端板部と一体に有する口金本体部を備え、 前記端板部には、表裏に貫通する端子保持用の窓孔が形成され、
【００１３】
該端子保持用の窓孔内に、前記給電端子又はアース用端子を保持する端子保持駒が挿抜不能に嵌着され、該端子保持駒は、２分割した一対の分割駒をもって構成され、該分割駒の接合面に端子嵌合溝が形成され、該端子嵌合溝に、これと整合する形状の給電端子又はアース用端子を嵌合させ、両分割駒を互いに接合させて前記端板部の端子保持用の窓孔内に嵌合させたことを特徴とする。
【００１４】
請求項２に記載の発明の特徴は、請求項１の構成に加え、前記端子保持駒は、前記口金本体部より耐熱性の高い材料によって形成されていることにある。
【発明の効果】
【００１５】
本発明に係る直管型ＬＥＤ照明器においては、表面に多数のＬＥＤを実装した基板が収容されている照明器本体部の両端の口金を、前記照明器本体部の端部に嵌合される筒状部と、該筒状部の先端部を閉鎖する端板部と一体に有する口金本体部を備え、該口金本体部の端板部に、表裏に貫通する端子保持用の窓孔が形成され、該端子保持用の窓孔内に、前記給電端子又はアース用端子を保持する端子保持駒が挿抜不能に嵌着され、該端子保持駒には、前記給電端子又はアース用端子を挿抜不能に嵌合して保持する端子嵌合溝が形成され、該端子嵌合溝に前記給電端子又はアース用端子を嵌合させた状態で、端子保持駒を前記端板部の端子保持用の窓孔内に嵌合させた構造とすることにより、口金に対する給電用端子又はアース用端子の組み込みが、それぞれに前記基板のパターンに接続させるための導電線を予め接続させた状態で行われ、このため従来のように口金内の狭い部分での半田付け作業が不要となって、作業効率が向上するとともに、口金の筒状部を長くすることができるため、照明器本体部との嵌合代を大きく取ることができ、結合強度をより高くできる。
【００１６】
また、本発明においては、前記端子保持駒は、２分割した一対の分割駒をもって構成され、該分割駒の接合面に端子嵌合溝が形成され、該端子嵌合溝に、これと整合する形状の前記給電端子又はアース用端子を嵌合させ、両分割駒を互いに接合させて前記端板部の端子保持用の窓孔内に嵌合させることにより、端子保持駒に対する端子保持力を大きくすることができる。
【００１７】
更に、本発明においては、口金本体部に対し、これとは別に成形した端子保持駒をもって端子を保持させるものであるため、ＬＥＤの発熱に対応するための高価な耐熱性・難燃性樹脂を、端子保持駒のみに使用すれば足りることとなり、高品質な製品を低コストで製造できる。
【図面の簡単な説明】
【００１８】
【図１】本発明に係る直管型ＬＥＤ照明器の参考例の概略を示す縦断面図である。
【図２】同上の左側端面図である。
【図３】同上の右側端面図である。
【図４】図１中のＡ−Ａ線断面図である。
【図５】図１中のＢ−Ｂ線部分断面図である。
【図６】図１中のＣ−Ｃ線部分断面図である。
【図７】図１に示す直管型ＬＥＤ照明器の給電用端子組み込み部分の分解斜視図である。
【図８】本発明に係る直管型ＬＥＤ照明器のアース用端子組み込み部分の分解斜視図である。
【図９】同上の直管型ＬＥＤ照明器のアース用端子組み込み部分の参考例の概略を示す分解斜視図である。
【図１０】本発明に係る直管型ＬＥＤ照明器の給電用端子組み込み部分の概略を示す分解斜視図である。
【図１１】同、給電用端子組み込み部分の他の変形例の概略の分解斜視図である。
【図１２】同、アース用端子組み込み部分の他の変形例の概略の分解斜視図である。
【図１３】同、アース用端子組み込み部分の更に他の変形例の概略の分解斜視図である。
【図１４】従来の直管型ＬＥＤ照明器の照明器本体部分を示す断面図である。
【図１５】従来の直管型ＬＥＤ照明器の照明器本体部分の他の例を示す断面図である。
【図１６】図１４に示した従来の直管型ＬＥＤ照明器の全体の概略を示す縦断面図である。
【図１７】図１６に示す従来の直管型ＬＥＤ照明器の左側端面図である。
【図１８】同、右側端面図である。
【発明を実施するための形態】
【００１９】
次に本発明に係る直管型ＬＥＤ照明器の実施の態様を図面に示した実施例に基づいて説明する。
【００２０】
図１〜図７は、本発明に係る直管型ＬＥＤ照明器の参考例を示している。図において、符号２０は照明器本体部であり、２１は照明器本体の一端に固定した給電側口金、２２は同他端に固定したアース側口金である。
【００２１】
照明器本体部２０は、周壁に内外に光が投下できる透光部２３を有する筒状の外部ケース２４と、外部ケース２４内に収容された放熱兼用の基板保持金具２５と、基板保持金具２５に支持され、表面に多数のＬＥＤ２６を実装した基板２７とを有している。
【００２２】
両口金２１，２２は、合成樹脂材料によって形成されており、照明器本体部２０の端部に嵌合される筒状部３０の先端を端板部３１によって閉鎖した形状に一体成形された口金本体部３３と、該口金本体部３３の端板部３１に形成された窓孔内に嵌合される端子保持駒３９又は４８とから構成されている。
【００２３】
各側口金２１，２２は、照明器本体部２０の端部に固定され、給電側口金２１には、基板２７の給電側パターン（図視せず）に接続させる給電用端子３５，３５が、他方のアース側口金２２には、基板２７のアース側パターン（図示せず）に接続させるアース用端子３６が、それぞれ照明器本体部２０の軸方向に向けて貫通して保持されている。
【００２４】
給電側口金２１の端板部３１には、長方形をした窓孔３７が形成され、該窓孔３７の端板部内面側の周縁部には周縁部には、窓孔内面を延長した配置の額縁状の筒状部３７ａが一体形成されている。この窓孔３７の端板部内面側端部には、内向きの張り出し片３８が一体に形成されている。
【００２５】
窓孔３７内には、これと整合する形状の端子保持駒３９が嵌合されており、その端面周縁部が張り出し片３８当接することによってそれ以上に押し込まれないようになっているとともに、端子保持駒３９には、抜け止め用爪４０が外向きに一体成形され、これが、筒状部３７ａの端板部内面側縁部３７ｂに係合することによって抜け出し不能となっている。
【００２６】
端子保持駒３９には、これを貫通させた状態で一対の給電用端子３５，３５が保持されている。
【００２７】
給電用端子３５は、図７に示すように、帯状をした金属板状材を折り曲げて形成され、長さ方向の中間部分に、鉤の手状の折り曲げ部３５ａが形成されており、端子保持駒３９には、その一方の側面に開口した端子嵌合溝４１が形成され、この端子嵌合溝４１は前記端子保持駒３９の鉤の手状の折り曲げ部３５ａが整合して嵌り合う形状の鉤の手状に形成されている。
【００２８】
端子保持駒３９は、前述した一対の端子嵌合溝４１，４１のそれぞれに給電用端子３５，３５を嵌合させた状態で、窓孔３７内に嵌合させることによって給電側口金２１の端板部３１外に一対の端子先端部３５ｂ，３５ｂが突設され、端板部３１の内面側端子に導電線接続端部３５ｃ，３５ｃが突出されるようになっている。
【００２９】
給電側口金２１の組み立てに際しては、まず、各給電用端子３５，３５の導電線接続端部３５ｃ，３５ｃに、それぞれ基板２７のパターンに接続させるための導電線４３，４３の一端を半田その他の方法によって接続しておく。
【００３０】
この導電線付の給電用端子３５，３５を端子保持駒３９の端子嵌合溝に４１，４１に嵌合させた状態で、該端子保持駒３９を端板部３１の外側より窓孔３７内に圧入する。これによって窓孔３７の最奥部にある張り出し片３８に端子保持駒３９の端面が当接し、抜け止め用爪４０が窓孔３７の筒状部３７ａの端板部内面側縁部３７ｂに係合することによって抜け出し不能に組み立てられ、導電線４３，４３が給電側口金２１の筒状部３０外に導出される。
【００３１】
アース側口金２２の端板部３１には、方形状をした窓孔４４が形成され、該窓孔４４の端板部内面側の周縁部にはその内面を延長した配置の筒状部４４ａが一体形成されている。この窓孔４４の端板部内面側端部には、内向きの張り出し片４６が一体に形成されている。
【００３２】
窓孔４４内には、これと整合する方形状の端子保持駒４８が嵌合されており、その端面周縁部が張り出し片４６当接することによってそれ以上に押し込まれないようになっているとともに、端子保持駒４８には、抜け止め用爪４９が外向きに一体成形され、これが、窓孔４４の筒状部４４ａの端板部内面側縁部４４ｂに係合することによって抜け出し不能となっている。
【００３３】
端子保持駒４８には、その中央に、これを貫通させた状態で一本のアース用端子３６が保持されている。
【００３４】
アース用端子３６は、図８に示すように、棒状の金属材を持って成形され、長さ方向の中間部分に、フランジ状をした抜け止め用の凸部３６ａが形成されている。
【００３５】
端子保持駒４８は、これを縦割りに２分割した一対の分割駒４８ａ，４８ａによって構成されており、両分割駒の接合面に、アース用端子３６が整合して嵌り合う形状の凹溝５０，５０が形成されており、これにアース用端子３６を嵌め合わせて両分割駒４８ａ，４８ａを接合させることによって端子保持駒４８の中心にアース用端子３６が貫通された状態で組み込まれ、この端子保持駒４８を窓孔４４内に嵌合させることによって、端板部３１の中央にアース用端子３６が貫通した状態に組み立てられ、アース側口金２２の端板部３１外にアース用端子３６端子先端部３６ｂが突設され、端板部３１の内面側端子に導電線接続端部３６ｃが突出されるようになっている。
【００３６】
組み立てに際しては、まず、各アース用端子３６の導電線接続端部３６ｃに、基板３７のパターンに接続させるための導電線４３の一端を半田その他の方法によって接続しておく。
【００３７】
この導電線付のアース用端子３６を端子保持駒４８に組み込んだ状態で、該端子保持駒４８を端板部３１の外側よりその窓孔４４内に圧入することにより嵌合させる。これによって窓孔４４の最奥部にある張り出し片４６に端子保持駒４８の端面が当接し、抜け止め用爪４９が窓孔４４の筒状部４４ａの端板部内面側縁部４４ｂに係合することによって抜け出し不能に組み立てられ、導電線４３がアース側口金２２の筒状部３０外に導出される。
【００３８】
両給電側口金２１，２２の照明器本体部２０に対する固定は、一例として、両口金の筒状部３０の外周にその軸方向に向けた、断面がＵ字状をした溝状の凹陥部５２（図２、図３に示す）を形成しておき、この凹陥部５２を端板部３１の表面に一端を開放させるとともに、他端を閉鎖端部５２ａとなし、この閉鎖端部に止めねじ挿通孔５３を形成しておく。
【００３９】
そして、各給電側口金２１，２２から導出されている導電線４３を照明器本体２０内の基板２７のパターンの所定の箇所に半田付けあるいはコネクタを使用して接続させる。
【００４０】
しかる後、照明器本体部２０の外部ケース２４を口金の筒状部３０内に嵌合させた状態で、止めねじ挿通孔５３より止めねじ５４を挿入し、照明器本体部２０内の基板保持金具２５の端面にねじ込むことによって固定する。
【００４１】
尚、給電側口金２１，２２と照明器本体部２０との結合は、照明器本体部の構造に対応して各種の方法を取り得る。
【００４２】
本発明においては、アース用端子用のアース側口金２２において、図９に示すように方形状をした１つの端子保持駒５５の側面に端子嵌合溝５６を形成してこれに板材からなるアース用端子５７を嵌合させ、この端子保持駒５５を端板部３１の窓孔４４に嵌合させるようにしている。
【００４３】
また、給電用端子用の給電側口金２１にあっても、図１０に示すようにこれを２分割した分割駒６０ａ，６０ａをもって端子保持駒６０を構成させ、両者の接合面に端子嵌合溝６１を形成しておき、これに前述と同様の給電用端子３５，３５を嵌合させ、両分割駒６０ａ，６０ａを接合させることによって給電用端子３５，３５を保持させ、これを端板部３１の窓孔３７に嵌合させるようにしている。
【００４４】
この場合、図１１に示すように棒状をした給電用端子６２，６２を使用してもよく、両分割駒６０ａ，６０ａの接合面には、棒状の給電用端子に整合する凹溝６３を形成しておき、これに給電用端子６２，６２を保持させるようにしてもよい。
【００４５】
更に、各端子保持駒は、図１２に示すように円形となし、これを半割にした分割駒６４，６４を持って構成してもよい。この場合、口金本体部との結合は、円形の窓孔６５を円形とし、両分割駒６４，６４を接合させた端子保持駒６６を窓孔６５に対して螺合させることによって嵌合させてもよい。
【００４６】
これらの他、口金本体部と端子保持駒との結合は、弾性接着剤による接着、超音波溶着、スピンエエルド溶接等、各種の方法を採り得る。
【００４７】
尚、口金本体部及び端子保持駒は、共に耐熱性及び難燃性の合成樹脂材料をもって構成させることが好ましいが、端子保持駒を、口金本体部の合成樹脂材料より耐熱性及び難燃性に優れた材料を使用することができ、これによって高価な耐熱性樹脂の使用量を削減することができる。
【符号の説明】
【００４８】
２０ 照明器本体部
２１ 給電側口金
２２ アース側口金
２３ 透光部
２４ 外部ケース
２５ 基板保持金具
２６ ＬＥＤ
２７ 基板
３０ 筒状部
３１ 端板部
３３ 口金本体部
３５ 給電用端子
３５ａ 折り曲げ部
３５ｂ 端子先端部
３５ｃ 導電線接続端部
３６ アース用端子
３７ 窓孔
３７ａ 筒状部
３７ｂ 端板部内面側縁部
３８ 張り出し片
３９ 端子保持駒
４０ 抜け止め用爪
４１ 端子嵌合溝
４３ 導電線
４４ 窓孔
４４ａ 筒状部
４６ 張り出し片
４８ 端子保持駒
４８ａ 分割駒
４９ 抜け止め用爪
５０ 凹溝
５２ 凹陥部
５２ａ 閉鎖端部
５３ 止めねじ挿通孔
５４ 止めねじ
５５ 端子保持駒
５６ 端子嵌合溝
５７ アース用端子
６０ 端子保持駒
６０ａ 分割駒
６１ 端子嵌合溝
６２ 給電用端子
６３ 凹溝
６４ 分割駒
６５ 窓孔
６６ 端子保持駒
【図１】
0005614688.tif 000002
【図２】
0005614688.tif 000003
【図３】
0005614688.tif 000004
【図４】
0005614688.tif 000005
【図５】
0005614688.tif 000006
【図６】
0005614688.tif 000007
【図７】
0005614688.tif 000008
【図８】
0005614688.tif 000009
【図９】
0005614688.tif 000010
【図１０】
0005614688.tif 000011
【図１１】
0005614688.tif 000012
【図１２】
0005614688.tif 000013
【図１３】
0005614688.tif 000014
【図１４】
0005614688.tif 000015
【図１５】
0005614688.tif 000016
【図１６】
0005614688.tif 000017
【図１７】
0005614688.tif 000018
【図１８】
0005614688.tif 000019